【手続補正書】
【提出日】平成22年11月12日(2010.11.12)
【手続補正１】
【補正対象書類名】特許請求の範囲
【補正対象項目名】全文
【補正方法】変更
【補正の内容】
【特許請求の範囲】
【請求項１】
撮像対象の被写体の動画像を撮像する動画像撮像装置であって、
１／２５秒以下の撮像周期で被写体を撮像可能な撮像手段と、
前記撮像手段で撮像された画像データを表示するための表示手段と、
前記撮像手段のピント、倍率、撮像位置の少なくともいずれかを含む視野範囲を調整するための視野範囲調整手段と、
前記視野範囲調整手段により調整された視野範囲にて、前記撮像手段で被写体を撮像する際の撮像周期を設定するための撮像周期設定手段と、
前記撮像周期設定手段により設定された前記撮像周期の逆数以下の範囲で、前記撮像手段のシャッタースピードを設定するためのシャッタースピード設定手段と、
前記撮像周期設定手段で先に撮像周期を設定させた後に、前記シャッタースピード設定手段でシャッタースピードを設定するよう促すための誘導手段と、
を備えることを特徴とする動画像撮像装置。
【請求項２】
請求項１に記載の動画像撮像装置において、さらに、
前記撮像手段の撮像を開始するためのトリガを設定するためのトリガ設定手段を含むことを特徴とする動画像撮像装置。
【請求項３】
請求項１又は２に記載の動画像撮像装置において、さらに、
前記撮像周期設定手段により設定される撮像周期に基づいて、該撮像周期と同等の周期で前記撮像手段の撮像可能な撮像領域から画像データの読み出しが可能な範囲を読出領域として、該読出領域の大きさ及び／又は位置を決定するための読出領域決定手段と、
前記表示手段で表示中の画像データを撮像した撮像周期よりも速い撮像周期に対応した、前記読出領域決定手段で決定される読出領域の大きさ及び／又は位置を示す領域表示を、前記表示手段において重ねて表示可能な領域表示手段と、
を備えることを特徴とする動画像撮像装置。
【請求項４】
撮像対象の被写体の動画像を撮像する動画像撮像装置であって、
１／２５秒以下のフレームレートで被写体を撮像可能な撮像手段と、
前記撮像手段で撮像された画像データを表示するための表示手段と、
前記撮像手段のピント、倍率、撮像位置の少なくともいずれかを含む視野範囲を調整するための視野範囲調整手段と、
前記視野範囲調整手段により調整された視野範囲にて、前記撮像手段で被写体を撮像する際のフレームレートを設定するためのフレームレート設定手段と、
前記フレームレート設定手段により設定された前記フレームレートの逆数以下の範囲で、前記撮像手段のシャッタースピードを設定するためのシャッタースピード設定手段と、
前記フレームレート設定手段で先にフレームレートを設定させた後に、前記シャッタースピード設定手段でシャッタースピードを設定するよう促すための誘導手段と、
を備えることを特徴とする動画像撮像装置。
【請求項５】
１／２５秒以下の撮像周期で撮像対象の被写体を撮像可能な撮像手段と、
前記撮像手段で撮像された画像データを表示するための表示手段と、
を備え、被写体の動画像を撮像する動画像撮像装置の撮像条件設定作業を支援するための設定支援装置であって、
前記撮像手段のピント、倍率、撮像位置の少なくともいずれかを含む視野範囲を調整するための視野範囲調整手段と、
前記視野範囲調整手段により調整された視野範囲にて、前記撮像手段で被写体を撮像する際の撮像周期を設定するための撮像周期設定手段と、
前記撮像周期設定手段により設定された前記撮像周期の逆数以下の範囲で、前記撮像手段のシャッタースピードを設定するためのシャッタースピード設定手段と、
前記撮像周期設定手段で設定された撮像周期に基づき、前記シャッタースピード設定手段でシャッタースピードを設定するよう促すための誘導手段と、
を備えることを特徴とする動画像撮像装置の設定支援装置。
【請求項６】
１／２５秒以下の撮像周期で撮像対象の被写体を撮像可能な撮像手段と、
前記撮像手段で撮像された画像データを表示するための表示手段と、
を備え、被写体の動画像を撮像する動画像撮像装置の撮像条件設定作業を支援するための設定支援装置であって、
前記撮像手段のピント、倍率、撮像位置の少なくともいずれかを含む視野範囲を調整するための視野範囲調整画面と、
前記視野範囲調整画面により調整された視野範囲にて、前記撮像手段で被写体を撮像する際の撮像周期を設定するための撮像周期設定画面と、
前記撮像周期設定画面により設定された前記撮像周期の逆数以下の範囲で、前記撮像手段のシャッタースピードを設定するためのシャッタースピード設定画面と、
を記憶するための設定画面記憶手段と、
前記設定画面記憶手段で記憶された視野範囲調整画面、撮像周期設定画面、シャッタースピード設定画面の順に前記表示手段に表示させて、各設定画面における設定を促すための誘導手段と、
を備え、
前記誘導手段が、前記設定画面記憶手段から読み出されたシャッタースピード設定画面を用いて前記撮像手段のシャッタースピードを設定する際、前記撮像周期設定画面を用いて先に設定された前記撮像手段の撮像周期の逆数以下の範囲に設定させるよう構成してなることを特徴とする動画像撮像装置の設定支援装置。
【請求項７】
撮像対象の被写体の動画像を撮像する動画像撮像装置を設定する動画像撮像装置の設定方法であって、
１／２５秒以下の撮像周期で被写体を撮像可能な撮像手段の撮像周期を設定するよう促す撮像周期設定ステップと、
前記設定された前記撮像周期の逆数以下の範囲で、前記撮像手段のシャッタースピードを設定するよう促すシャッタースピード設定ステップと、
を含むことを特徴とする動画像撮像装置の設定方法。
【請求項８】
請求項７に記載の動画像撮像装置の設定方法において、さらに、
前記撮像周期設定ステップに先立ち、前記撮像手段のピント、倍率、撮像位置の少なくともいずれかを含む撮像条件を調整するよう促す視野範囲調整ステップを含むことを特徴とする動画像撮像装置の設定方法。
【請求項９】
請求項７又は８に記載の動画像撮像装置の設定方法において、さらに、
前記シャッタースピード設定ステップに続き、前記撮像手段の撮像を開始するためのトリガを設定するよう促すトリガ設定ステップを含むことを特徴とする動画像撮像装置の設定方法。
【請求項１０】
請求項７から９のいずれか一に記載の動画像撮像装置の設定方法において、
前記撮像周期設定ステップは、
撮像周期として仮撮像周期を設定する撮像周期仮設定ステップと、
前記撮像周期仮設定ステップで設定された仮撮像周期で前記撮像手段の撮像を行い、連続して撮像された所定枚数の画像データを記憶する記憶ステップと、
前記記憶ステップで記憶された所定枚数の画像データを、撮像された順番で、前記仮撮像周期よりも遅い表示周期で、画像データを表示可能な表示手段において再生するスロー再生ステップと、
前記撮像周期仮設定ステップで設定された仮撮像周期を前記撮像手段の撮像周期として設定し、前記シャッタースピード設定ステップに移行する撮像周期本設定ステップと、
を含むことを特徴とする動画像撮像装置の設定方法。
【請求項１１】
請求項７から１０のいずれか一に記載の動画像撮像装置の設定方法において、
前記シャッタースピード設定ステップは、
シャッタースピードを仮設定するシャッタースピード仮設定ステップと、
画像データを表示可能な表示手段の表示周期を１／２５秒以下の撮像周期よりも遅く設定し、前記シャッタースピード仮設定ステップにて仮設定されたシャッタースピードで撮像された画像データを再生する再生ステップと、
前記シャッタスピード仮設定ステップで仮設定されたシャッタースピードを前記撮像手段のシャッタースピードとして設定するシャッタースピード本設定ステップと、
を含むことを特徴とする動画像撮像装置の設定方法。
【請求項１２】
請求項８から１１のいずれか一に記載の動画像撮像装置の設定方法において、さらに、
前記視野範囲調整ステップに続き、かつ前記撮像周期設定ステップに先立ち、前記撮像手段の撮像条件に応じた照明の調整を行う照明調整ステップを含むことを特徴とする動画像撮像装置の設定方法。
【請求項１３】
請求項７から１２のいずれか一に記載の動画像撮像装置の設定方法において、
前記撮像周期設定ステップはさらに、
前記撮像手段で設定可能な撮像周期であって、画像データを表示可能な表示手段において表示中の画像データを撮像した撮像周期と異なる一以上の撮像周期に基づき、前記撮像手段の撮像素子を２次元状に配置した撮像領域から画像データの読み出しが可能な範囲を読出領域として、各撮像周期に対応する該読出領域の大きさ及び／又は位置を各々決定するステップと、
前記決定された一以上の読出領域の大きさ及び／又は位置を示す領域表示を、前記表示手段で画像データに重ねて表示するステップと、
を含むことを特徴とする動画像撮像装置の設定方法。
【請求項１４】
請求項７から１２のいずれか一に記載の動画像撮像装置の設定方法において、
前記撮像周期設定ステップはさらに、
前記撮像周期を仮設定する仮設定ステップと、
前記仮設定された撮像周期に基づき、前記撮像手段の撮像素子を２次元状に配置した撮像領域から画像データの読み出しが可能な範囲を読出領域として、該読出領域の大きさ及び／又は位置を決定するステップと、
画像データを表示可能な表示手段において、表示中の画像データを撮像した撮像周期と異なる複数の撮像周期に対応する、前記決定された読出領域の大きさ及び／又は位置を示す領域表示を、前記表示手段で画像データに重ねて表示するステップと、
を含むことを特徴とする動画像撮像装置の設定方法。